(57)【要約】【課題】プロジェクターに異常が発生した場合の発生情報を少ない記憶領域で保存することができるプロジェクターを提供する。【解決手段】記憶手段２１の異常発生情報２１１を取得し（ステップＳ２０３）、取得した異常発生情報２１１の第１発生時刻からの経過時間が所定時間Ｔ１以内であり（ステップＳ２０４：Ｙ）、同じ異常種類だった場合（ステップＳ２０５：Ｙ）、現在の時刻を第２発生時刻とし、第１発生時刻から第２発生時刻までに同じ異常が発生した発生回数として取得した異常発生情報２１１に記録する（ステップＳ２０８）。【選択図】図４
2014029362.tif 000002
【特許請求の範囲】
【請求項１】
光源から射出された光を画像情報に応じて変調して投写面に投写する画像投写手段を備
えたプロジェクターであって、
当該プロジェクターに異常が発生したことを検知する異常検知手段と、
時刻を計時する計時部と、
情報を記憶する記憶手段と、
前記異常検知手段が異常を検知した場合に、前記異常の発生状況を異常発生情報として
前記記憶手段に記録する異常記録手段と、
を備え、
前記異常発生情報は、異常の発生を検知した第１の発生時刻に関する情報と、前記異常
と同一の異常の発生を検知した前記第１の発生時刻とは異なる第２の発生時刻に関する情
報と、前記第１の発生時刻から前記第２の発生時刻までの時間に発生した前記異常の発生
回数に関する情報と、を有する
ことを特徴とする、プロジェクター。
【請求項２】
請求項１に記載のプロジェクターであって、
前記異常記録手段は、前記異常が所定時間内に複数回発生した場合に、前記異常が最初
に発生した時刻を前記第１の発生時刻に関する情報とし、前記異常が最後に発生した時刻
を前記第２の発生時刻に関する情報として記録する
ことを特徴とする、プロジェクター。
【請求項３】
請求項１または２に記載のプロジェクターであって、
前記異常記録手段は、前記記録された異常発生情報のうち、前記異常検知手段が検知し
た異常と種類が同じであり、かつ記録されている前記第１の発生時刻からの経過時間が所
定時間内である前記異常発生情報が存在する場合に、前記第２の発生時刻に関する情報に
前記異常検知手段が検知した異常が発生した時刻を記録し、前記発生回数に関する情報に
前記第１の発生時刻からの前記異常検知手段が検知した異常の発生回数を記録する
ことを特徴とする、プロジェクター。
【請求項４】
請求項１から３のいずれか一項に記載のプロジェクターであって、
当該プロジェクターの動作を制御する制御手段、をさらに備え、
前記制御手段は、前記異常発生情報が所定の第１の数以上記録された場合に、前記画像
投写手段により警告画面を投写する
ことを特徴とする、プロジェクター。
【請求項５】
請求項４に記載のプロジェクターであって、
前記制御手段は、記録された前記異常発生情報のうち、記録された時刻が古いものから
指定の数分を削除し、
前記制御手段は、記録された前記異常発生情報が所定の第２の数以下になった場合に、
当該プロジェクターを使用可能とする
ことを特徴とする、プロジェクター。
【請求項６】
請求項４または５に記載のプロジェクターであって、
前記異常発生情報を外部機器または記録媒体に出力する出力手段、
をさらに備えたことを特徴とする、プロジェクター。
【請求項７】
光源から射出された光を画像情報に応じて変調して投写面に投写する画像投写手段を備
えたプロジェクターの制御方法であって、
当該プロジェクターに異常が発生したことを検知する異常検知手段と、
時刻を計時する計時部と、
情報を記憶する記憶手段と、
前記異常検知手段が異常の発生を検知した場合に、前記異常の発生状況を異常発生情報
として前記記憶手段に記録する異常記録手段と、を備え、
異常の発生を検知した第１の発生時刻に関する情報を記録するステップと、
前記異常と同一の異常の発生を検知した前記第１の発生時刻とは異なる第２の発生時刻
に関する情報を記録するステップと、
前記第１の発生時刻から前記第２の発生時刻までの時間に発生した前記異常の発生回数
に関する情報を記録するステップと、
を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
画像を投写するプロジェクターには異常が発生した場合、内部メモリーにその発生状態
を記録する異常ログ機能が搭載されており、後で発生した異常を解析するのに役立ってい
る。これらの異常ログ機能に記録する異常情報の記録数はプロジェクターに搭載する内部
メモリーの容量に依存しており、記録数が上限に達した場合、古いものから上書きされて
消去されていく。
このため、短時間の間に立て続けに異常が発生したような場合、初期の発生状況が消去
されているので、いつごろから異常が発生しているのか確認できないことがあった。
【０００３】
下記に示す特許文献１には、装置に異常が発生した場合に自己診断情報をメモリーカー
ドに記録する記録再生装置が開示されている。このような装置によれば、大容量のメモリ
ーカードを搭載することにより、多くの異常ログを記録することができる。
【先行技術文献】
【特許文献】
【０００４】
【特許文献１】特開平５−２５０７６４号公報
【発明の概要】
【発明が解決しようとする課題】
【０００５】
しかしながら、特許文献１の方法では、異常情報の記録だけのためにメモリーカードス
ロットが必要になり、コストアップになる。また、メモリーカードを用意していない場合
や、装着を忘れた場合には異常情報の記録ができないという問題があった。
【課題を解決するための手段】
【０００６】
本発明は、上述の課題の少なくとも一部を解決するためになされたものであり、以下の
形態または適用例として実現することが可能である。
【０００７】
［適用例１］本適用例に係るプロジェクターは、光源から射出された光を画像情報に応
じて変調して投写面に投写する画像投写手段を備えたプロジェクターであって、当該プロ
ジェクターに異常が発生したことを検知する異常検知手段と、時刻を計時する計時部と、
情報を記憶する記憶手段と、前記異常検知手段が異常を検知した場合に、前記異常の発生
状況を異常発生情報として前記記憶手段に記録する異常記録手段と、を備え、前記異常発
生情報は、異常の発生を検知した第１の発生時刻に関する情報と、前記異常と同一の異常
の発生を検知した前記第１の発生時刻とは異なる第２の発生時刻に関する情報と、前記第
１の発生時刻から前記第２の発生時刻までの時間に発生した前記異常の発生回数に関する
情報と、を有することを特徴とする。
【０００８】
本適用例によれば、プロジェクターに、ある異常が第１の発生時刻から第２の発生時刻
までの時間に何回発生したか（検知したか）を異常発生情報として記録する。これにより
同一の異常が何回か発生した場合でも１つの異常発生情報として記録されるので、少ない
記録容量で、異常発生の状況を記録することが可能となる。
【０００９】
［適用例２］上記適用例に記載のプロジェクターにおいて、前記異常記録手段は、前記
異常が所定時間内に複数回発生した場合に、前記異常が最初に発生した時刻を前記第１の
発生時刻に関する情報とし、前記異常が最後に発生した時刻を前記第２の発生時刻に関す
る情報として記録することを特徴とする。
【００１０】
本適用例によれば、所定時間内に同一の異常が複数回発生した場合に１つの異常発生情
報として記録するので、短期間に異常が集中して発生するような状況を把握することがで
き、解析に役立てることが可能となる。
【００１１】
［適用例３］上記適用例に記載のプロジェクターにおいて、前記異常記録手段は、前記
記録された異常発生情報のうち、前記異常検知手段が検知した異常と種類が同じであり、
かつ記録されている前記第１の発生時刻からの経過時間が所定時間内である前記異常発生
情報が存在する場合に、前記第２の発生時刻に関する情報に前記異常検知手段が検知した
異常が発生した時刻を記録し、前記発生回数に関する情報に前記第１の発生時刻からの前
記異常検知手段が検知した異常の発生回数を記録することを特徴とする。
【００１２】
本適用例によれば、記録された異常発生情報のうち、第１の発生時刻からの経過時間が
所定時間内であり同じ異常種類の異常発生情報がある場合にその異常発生情報の第２の発
生時刻、及び発生回数を記録する。つまり、異なる種類の異常が複数回発生した場合でも
それぞれを１つの異常発生情報として記録するので、それぞれの種類の異常を切り分けて
解析に役立てることが可能となる。
【００１３】
［適用例４］上記適用例に記載のプロジェクターにおいて、当該プロジェクターの動作
を制御する制御手段、をさらに備え、前記制御手段は、前記異常発生情報が所定の第１の
数以上記録された場合に、前記画像投写手段により警告画面を投写することを特徴とする
。
【００１４】
本適用例によれば、記録された異常発生情報が所定の第１の数以上になった場合に警告
画面によりユーザーに警告するので、ユーザーに異常発生情報の確認と、原因の解析を促
すことが可能となる。
【００１５】
［適用例５］上記適用例に記載のプロジェクターにおいて、前記制御手段は、記録され
た前記異常発生情報のうち、記録された時刻が古いものから指定数分を削除し、前記制御
手段は、記録された前記異常発生情報が所定の第２の数以下になった場合に、当該プロジ
ェクターを使用可能とすることを特徴とする。
【００１６】
本適用例によれば、記録された異常発生情報を削除し、所定の第２の数以下になった場
合にプロジェクターを使用可能とするので、ユーザーが異常情報を確認しないうちにプロ
ジェクターを起動し、新たな異常発生によって、古い異常発生情報が消去されるのを防止
することが可能となる。
［適用例６］上記適用例に記載のプロジェクターにおいて、前記異常発生情報を外部機
器または記録媒体に出力する出力手段、をさらに備えたことを特徴とする。
【００１７】
本適用例によれば、出力手段により記録された異常発生情報を外部機器または記録媒体
に出力することができるので、プロジェクターを設置したまま外部機器で異常原因の解析
することができ、さらに出力した異常発生情報の記録領域を削除することで新たな異常発
生情報の記録が可能となる。
【００１８】
［適用例７］本適用例に係るプロジェクターの制御方法は、光源から射出された光を画
像情報に応じて変調して投写面に投写する画像投写手段を備えたプロジェクターの制御方
法であって、当該プロジェクターに異常が発生したことを検知する異常検知手段と、時刻
を計時する計時部と、情報を記憶する記憶手段と、前記異常検知手段が異常の発生を検知
した場合に、前記異常の発生状況を異常発生情報として前記記憶手段に記録する異常記録
手段と、を備え、異常の発生を検知した第１の発生時刻に関する情報を記録するステップ
と、前記異常と同一の異常の発生を検知した前記第１の発生時刻とは異なる第２の発生時
刻に関する情報を記録するステップと、前記第１の発生時刻から前記第２の発生時刻まで
の時間に発生した前記異常の発生回数に関する情報を記録するステップと、を有すること
を特徴とする。
【００１９】
本適用例によれば、プロジェクターにある異常が第１の発生時刻から第２の発生時刻ま
での時間に何回発生したか（検知したか）を異常発生情報として記録する、これにより同
一の異常が何回か発生した場合でも１つの異常発生情報として記録されるので、少ない記
録容量で、異常発生の状況を記録することが可能となる。
【図面の簡単な説明】
【００２０】
【図１】プロジェクターの概略構成を示すブロック図。
【図２】異常発生情報の記録状態の遷移を示す図。
【図３】プロジェクターが動作中に異常発生を検知した時の動作を示すフローチャート。
【図４】プロジェクターが異常発生情報を記録する時の動作を示すフローチャート。
【図５】異常発生情報の記録数が所定数に達した時の警告画面。
【図６】異常発生情報の表示画面。
【発明を実施するための形態】
【００２１】
以下、図面を参照して本発明の実施形態について説明するが、以下の実施形態は特許請
求の範囲にかかる発明を限定するものではなく、また、実施形態における特徴の組み合わ
せの全てが発明の解決手段に必須であるとは限らない。
【００２２】
（第１実施形態）
図１は、本実施形態のプロジェクターの概略構成を示すブロック図である。
図１に示すように、プロジェクター１は、画像投写手段１０、ＯＳＤ処理手段１６、画
像信号処理手段１７、画像信号入力手段１８、制御手段２０、記憶手段２１、光源制御手
段２２、入力操作手段２３、電源端子３０、電源部３１、計時部３２、異常検知手段３５
、報知手段３６、出力手段３７等で構成されており、これらは図示しない筐体の内部、ま
たは外面に収容されている。
【００２３】
画像投写手段１０は、光源１１、光変調装置としての３つの液晶ライトバルブ１２（１
２Ｒ，１２Ｇ，１２Ｂ）、投写光学系としての投写レンズ１３、液晶駆動手段１４等を含
んでいる。画像投写手段１０は、光源１１から射出された光を、液晶ライトバルブ１２Ｒ
，１２Ｇ，１２Ｂで変調し、投写レンズ１３から投写することによってスクリーンＳＣ等
に画像を表示する。
【００２４】
光源１１は、超高圧水銀ランプやメタルハライドランプ等からなる放電型の光源ランプ
１１ａと、光源ランプ１１ａが放射した光を液晶ライトバルブ１２Ｒ，１２Ｇ，１２Ｂ側
に反射するリフレクター１１ｂとを含んで構成されている。光源１１から射出された光は
、図示しないインテグレーター光学系によって輝度分布が略均一な光に変換され、図示し
ない色分離光学系によって光の３原色である赤色（Ｒ），緑色（Ｇ），青色（Ｂ）の各色
光成分に分離された後、それぞれ液晶ライトバルブ１２Ｒ，１２Ｇ，１２Ｂに入射する。
【００２５】
液晶ライトバルブ１２Ｒ，１２Ｇ，１２Ｂは、一対の透明基板間に液晶が封入された液
晶パネル等によって構成される。液晶ライトバルブ１２Ｒ，１２Ｇ，１２Ｂには、マトリ
ックス状に配列された複数の画素（図示せず）が形成されており、液晶に対して画素毎に
駆動電圧を印加可能となっている。
液晶駆動手段１４が、入力される画像情報に応じた駆動電圧を各画素に印加すると、各
画素は、画像情報に応じた光透過率に設定される。このため、光源１１から射出された光
は、この液晶ライトバルブ１２Ｒ，１２Ｇ，１２Ｂを透過することによって変調され、画
像情報に応じた画像光が色光毎に形成される。
形成された各色の画像光は、図示しない色合成光学系によって画素毎に合成されてカラ
ーの画像光となった後、投写レンズ１３によってスクリーンＳＣ等に拡大投写される。
【００２６】
本実施形態では、光源として光源ランプ１１ａを用いて投写するプロジェクター１を例
示したが、本発明は光源としてＬＥＤ（Light Emitting Diode）光源やレーザー光源など
を用いて投写するプロジェクターにも適用することができる。
【００２７】
なお、本実施形態では、画像投写手段１０は、光変調装置としての３つの液晶ライトバ
ルブ１２Ｒ，１２Ｇ，１２Ｂを用いた透過型液晶方式の投写光学系を例示したが、反射型
液晶表示方式やマイクロミラーデバイス方式（ライトスイッチ表示方式）など、他の表示
方式の光変調装置を採用しても良い。
【００２８】
制御手段２０は、図示しないＣＰＵ（Central Processing Unit）や、各種データ等の
一時記憶に用いられるＲＡＭ（Random Access Memory）等を備え、記憶手段２１に記憶さ
れている制御プログラム（図示せず）に従って動作することによりプロジェクター１の動
作を統括制御する。つまり、制御手段２０は、記憶手段２１とともにコンピューターとし
て機能する。また、制御手段２０は、記憶手段２１に異常発生情報２１１を記録する異常
記録手段２０１を備える。
【００２９】
記憶手段２１は、図示しないフラッシュメモリーやＦｅＲＡＭ（Ferroelectric RAM：
強誘電体メモリー）等の書き換え可能な不揮発性のメモリーにより構成されている。記憶
手段２１には、プロジェクター１の動作を制御するための制御プログラムや、プロジェク
ター１の動作条件等を規定する各種設定データ等が記憶されている。本実施形態では、プ
ロジェクター１に異常が発生したときの状況を示す複数の異常発生情報２１１が保存され
る。
異常発生情報２１１には、異常の発生を検知した第１の発生時刻としての第１発生時刻
に関する情報と、前記異常と同一の異常の発生を検知した第２の発生時刻としての第２発
生時刻に関する情報と、第１発生時刻から第２発生時刻までの間において発生を検知した
異常の発生回数（異常発生回数）に関する情報とが含まれる。
【００３０】
入力操作手段２３は、ユーザーがプロジェクター１に対して各種指示を行うための複数
の操作キーを備えている。
入力操作手段２３が備える操作キーとしては、電源のオン・オフを交互に切り替えるた
めの電源キーや、画像信号入力手段１８に入力される複数の画像入力端子を切り替えるた
めの入力切替キー、各種設定を行うための設定メニューを重畳表示させるメニューキー、
メニューからユーザーが設定項目を選択するカーソルキー、決定キー、エスケープキー、
ヘルプキー等がある。
【００３１】
ユーザーが入力操作手段２３の各種操作キーを操作すると、入力操作手段２３は、ユー
ザーの操作内容に応じた操作信号を制御手段２０に出力する。なお、入力操作手段２３は
、リモートコントローラー（リモコン）信号受信手段（図示せず）と遠隔操作が可能なリ
モートコントローラー（図示せず）を有した構成としてもよい。この場合、リモートコン
トローラーは、ユーザーの操作内容に応じた赤外線等の操作信号を発し、リモコン信号受
信手段がこれを受信して制御情報として制御手段２０に伝達する。
【００３２】
画像信号入力手段１８は、上述したように複数の画像入力端子を備えており、各画像入
力端子より、ビデオ再生装置やパーソナルコンピューター等、外部の画像出力装置から、
図示しないケーブル、又は通信機器などを介して画像情報が入力される。入力された画像
情報は、制御手段２０の指示に基づき、画像信号処理手段１７に出力される。
【００３３】
画像信号処理手段１７は、画像信号入力手段１８から入力される画像情報を、液晶ライ
トバルブ１２Ｒ，１２Ｇ，１２Ｂの各画素の階調を表す画像情報に変換する。ここで、変
換された画像情報は、赤（Ｒ），緑（Ｇ），青（Ｂ）の色光別になっており、各液晶ライ
トバルブ１２Ｒ，１２Ｇ，１２Ｂのすべての画素に対応する複数の画素値によって構成さ
れている。画素値とは、対応する画素の光透過率を定めるものであり、この画素値によっ
て、各画素を透過し射出する光の強弱（階調）が規定される。
【００３４】
ＯＳＤ処理手段１６は、制御手段２０の指示に基づいて、投写画像上に、メニュー画像
やメッセージ画像等のＯＳＤ（オンスクリーンディスプレイ）画像を重畳して表示するた
めの処理を行う。ＯＳＤ処理手段１６は、図示しないＯＳＤメモリーを備えており、ＯＳ
Ｄ画像を形成するための図形やフォント等を表すＯＳＤ画像情報を記憶している。
【００３５】
制御手段２０が、ＯＳＤ画像の重畳表示を指示すると、ＯＳＤ処理手段１６は、必要な
ＯＳＤ画像情報をＯＳＤメモリーから読み出し、投写画像上の所定の位置にＯＳＤ画像が
重畳されるように、画像信号処理手段１７から入力される画像情報にこのＯＳＤ画像情報
を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段
１６は、画像信号処理手段１７から入力される画像情報を、そのまま液晶駆動手段１４に
出力する。
【００３６】
液晶駆動手段１４は、ＯＳＤ処理手段１６から入力される画像情報に従って液晶ライト
バルブ１２Ｒ，１２Ｇ，１２Ｂを駆動すると、液晶ライトバルブ１２Ｒ，１２Ｇ，１２Ｂ
は、画像情報に応じた画像を形成し、この画像が投写レンズ１３から投写される。
【００３７】
光源制御手段２２は、制御手段２０の指示に基づいて、光源１１に対する電力の供給と
停止とを制御し、光源１１の点灯、及び消灯を切り替える。
【００３８】
電源部３１には、ＡＣ１００Ｖ等の電力が電源端子３０を介して外部から供給される。
電源部３１は、例えば、商用電源（交流電源）を所定の電圧の直流電源に変換して、プロ
ジェクター１の各部に電力を供給する。また、電源部３１は、制御手段２０の指示に基づ
いて、画像の投写に必要な電力（動作電力）を各部に供給する状態（電源オン状態）と、
動作電力の供給を停止して、電源をオンにするための操作を待機する状態（スタンバイ状
態）とを切り替えることができる。
【００３９】
計時部３２は、図示しないバッテリー等でバックアップされるリアルタイムクロック等
で構成されている。異常記録手段２０１は、異常検知手段３５により異常が検知された場
合に計時部３２より時刻を取得し、異常発生情報２１１の第１発生時刻または第２発生時
刻に記録する。
【００４０】
異常検知手段３５は、プロジェクター１に異常が発生したことを検知し、制御手段２０
に通知する。異常検知手段３５が検知する異常の種類としては、プロジェクター１の内部
温度が上昇した場合の温度異常、プロジェクター１の内部を冷却するファンが正常に回転
しないファン異常、各種状態を取得するセンサーから正しく状態を取得できないセンサー
異常などがある。
【００４１】
報知手段３６は、ＬＥＤやブザーなどで構成され、制御手段２０の指示に基づき、プロ
ジェクター１に異常が発生したことを報知する。
【００４２】
出力手段３７は、記憶手段２１に記録された異常発生情報２１１を、図示しない通信コ
ネクターや記録媒体コネクターなどを介し、外部機器または外部記憶媒体に出力する。
【００４３】
本実施形態のプロジェクター１は、上記のように構成されているため、電源端子３０に
電源ケーブル（図示せず）が接続され、電源部３１に電力が供給されると、電源部３１は
、少なくとも制御手段２０、記憶手段２１、入力操作手段２３に電力（スタンバイ電力）
の供給を行い、制御手段２０は、この電力供給を受けて、制御プログラムに従った動作を
開始する。
電力が供給された直後には、プロジェクター１は、スタンバイ状態（「電源オフ状態」
ともいう。）であり、光源１１を消灯させた状態を維持している。そして、入力操作手段
２３に備わる電源キーがユーザーにより操作されると、制御手段２０は、電源部３１に指
示をして、各部への動作電力の供給を開始させ、プロジェクター１を電源オン状態に移行
させる。
【００４４】
次に、本実施形態のプロジェクター１の異常発生情報２１１の記録内容を、図２を用い
て説明する。図２（ａ）〜（ｄ）は異常発生情報２１１の記録内容の遷移を示す図である
。図２に示すように、一つの異常発生情報２１１の記録内容は、異常種類、第１発生時刻
、異常発生回数、第２発生時刻から構成される。
本形態では、第１発生時刻と同一の異常が、所定時間Ｔ１内で最後に発生した時刻を第
２発生時刻とする。
【００４５】
図２（ａ）は温度異常が２０１２年７月２日１６：００に発生したことを示す一つの異
常発生情報２１１が記録されている状態を示す。
図２（ｂ）は図２（ａ）の状態から、同日１６：３０にファン異常が発生した場合の異
常発生情報２１１の記録内容を示す。異常記録手段２０１は、記憶手段２１に同じファン
異常の異常発生情報２１１が記録されていないため、新たな異常発生情報２１１を２番目
に記録する。
図２（ｃ）は図２（ｂ）の状態から、同日１７：００に温度異常が発生した場合の異常
発生情報２１１の記録内容を示す。異常記録手段２０１は、記憶手段２１に同じ温度異常
の異常発生情報２１１が１番目に記録されており、かつ第１発生時刻からの経過時間が所
定時間Ｔ１（この例では１時間）以内のため、１番目の異常発生情報２１１の異常発生回
数を１増やして２とし、第２発生時刻を同日１７：００として情報を更新する。
図２（ｄ）は図２（ｃ）の状態から、翌日２０１２年７月３日１１：００に温度異常が
発生した場合の異常発生情報２１１の記録内容を示す。異常記録手段２０１は、同じ温度
異常である１番目の異常発生情報２１１が記録されているものの、第１発生時刻からの経
過時間が所定時間Ｔ１（１時間）を超えているため、新たな異常発生情報２１１を３番目
に記録する。
【００４６】
次に、本実施形態のプロジェクター１の動作を図３、及び図４のフローチャートを用い
て説明する。図３はプロジェクター１が画像を投写中に異常発生を検知した時の動作、図
４はプロジェクター１が異常発生情報２１１を記録するときの動作を示すフローチャート
である。
【００４７】
図３に示すように、プロジェクター１が動作中に異常検知手段３５により異常発生を検
知すると（ステップＳ１０１）、ステップＳ１０２に遷移する。
【００４８】
ステップＳ１０２において制御手段２０は、報知手段３６により異常発生を報知し、ス
テップＳ１０３に遷移する。
【００４９】
ステップＳ１０３において異常記録手段２０１は異常発生の状況を異常発生情報２１１
として記憶手段２１に記録し、ステップＳ１０４に遷移する。ステップＳ１０３の動作の
詳細を図４のフローチャートに示す。
【００５０】
図４に示すように、異常発生情報２１１の記録動作を開始（スタート）すると（ステッ
プＳ２０１）、異常記録手段２０１は、記憶手段２１に異常発生情報２１１が１つ以上記
録されているか否かを調べる（ステップＳ２０２）。異常発生情報２１１が１つ以上記録
されている場合（ステップＳ２０２：Ｙ）、ステップＳ２０３に遷移する。異常発生情報
２１１が１つも記録されていない場合（ステップＳ２０２：Ｎ）、ステップＳ２０９に遷
移する。
【００５１】
ステップＳ２０３において、異常記録手段２０１は、最後に記録された（最新）の異常
発生情報２１１を取得し、ステップＳ２０４に遷移する。
【００５２】
ステップＳ２０４において、異常記録手段２０１は、計時部３２から取得した現在の時
刻、即ち異常発生を検知した時刻がステップＳ２０３（または後述するステップＳ２０７
）において取得した異常発生情報２１１の第１発生時刻から所定時間Ｔ１（例えば１時間
）を経過しているか否かを調べる。
第１発生時刻から所定時間Ｔ１を経過している場合（ステップＳ２０４：Ｙ）、ステッ
プＳ２０９に遷移する。第１発生時刻から所定時間Ｔ１を経過していない場合（ステップ
Ｓ２０４：Ｎ）、ステップＳ２０５に遷移する。
【００５３】
ステップＳ２０５において異常記録手段２０１は、異常検知手段３５が検知した異常種
類と、ステップＳ２０３（またはステップＳ２０７）において取得した異常発生情報２１
１の異常種類とが同じか否かを調べる。異常種類が同じ場合（ステップＳ２０５：Ｙ）、
ステップＳ２０８に遷移する。異常種類が異なる場合（ステップＳ２０５：Ｎ）、ステッ
プＳ２０６に遷移する。
【００５４】
ステップＳ２０６において異常記録手段２０１は、記憶手段２１にまだ異常発生情報２
１１が記録されているか否かを調べる。まだ異常発生情報２１１が記録されている場合（
ステップＳ２０６：Ｙ）、１つ前の異常発生情報２１１を取得し（ステップＳ２０７）、
ステップＳ２０４に遷移する。異常発生情報２１１がこれ以上記録されていない場合（ス
テップＳ２０６：Ｎ）、ステップＳ２０９に遷移する。
【００５５】
ステップＳ２０８において異常記録手段２０１は、取得した異常発生情報２１１の、異
常発生回数を１増加し、第２発生時刻に現在の時刻を書き込み、ステップＳ２１０に遷移
する。ステップＳ２０８により、取得した異常発生情報２１１の記録内容が更新される。
ステップＳ２０８が、第２の発生時刻に関する情報を記録するステップ、及び第１の発生
時刻から前記第２の発生時刻までの時間に発生した異常の発生回数に関する情報を記録す
るステップに相当する。
【００５６】
ステップＳ２０９において異常記録手段２０１は、現在の時刻を第１発生時刻とし、異
常発生回数を１、異常種類を現在発生している異常として、新たな異常発生情報２１１（
新規異常発生情報）を記憶手段２１に記録する。次にステップＳ２１０に遷移する。
ステップＳ２０９が、異常が発生した第１の発生時刻に関する情報を記録するステップ
に相当する。
【００５７】
ステップＳ２１０において本動作フローを終了する。
【００５８】
図３に戻って、ステップＳ１０４において制御手段２０は、記憶手段２１に異常発生情
報２１１がＮ１個以上記録されているか否かを調べる。異常発生情報２１１がＮ１個以上
記録されている場合（ステップＳ１０４：Ｙ）、ステップＳ１０５に遷移する。記録され
ている異常発生情報２１１がＮ１個未満の場合（ステップＳ１０４：Ｎ）、ステップＳ１
１４に遷移する。本形態のＮ１が、所定の第１の数に相当する。
【００５９】
ステップＳ１０５において制御手段２０は、記憶手段２１に異常発生情報２１１がＮ１
個以上記録されていることを示す警告画面Ｐ１を画像投写手段１０により投写し、ステッ
プＳ１０６に遷移する。このときの警告画面Ｐ１を図５に示す。
【００６０】
ステップＳ１０６において制御手段２０は、警告画面Ｐ１に対して異常発生情報２１１
を記録媒体に保存する操作を受け付けたか否かを調べる。異常発生情報２１１を記録媒体
に保存する操作を受け付けた場合（ステップＳ１０６：Ｙ）、ステップＳ１１０に遷移す
る。異常発生情報２１１を記録媒体に保存する操作を受け付けていない場合（ステップＳ
１０６：Ｎ）、ステップＳ１０７に遷移する。
【００６１】
ステップＳ１０７において制御手段２０は、警告画面Ｐ１に対して異常発生情報２１１
を外部機器に出力する操作を受け付けたか否かを調べる。異常発生情報２１１を外部機器
に出力する操作を受け付けた場合（ステップＳ１０７：Ｙ）、ステップＳ１１１に遷移す
る。異常発生情報２１１を外部機器に出力する操作を受け付けていない場合（ステップＳ
１０７：Ｎ）、ステップＳ１０８に遷移する。
【００６２】
ステップＳ１０８において制御手段２０は、警告画面Ｐ１に対して異常発生情報２１１
を消去する操作を受け付けたか否かを調べる。異常発生情報２１１を消去する操作を受け
付けた場合（ステップＳ１０８：Ｙ）、ステップＳ１０９に遷移する。異常発生情報２１
１を消去する操作を受け付けていない場合（ステップＳ１０８：Ｎ）、ステップＳ１０６
に遷移する。
【００６３】
ステップＳ１０９において異常記録手段２０１は、異常発生情報２１１を古いほうから
指定数消去し、ステップＳ１１２に遷移する。
【００６４】
ステップＳ１１０において制御手段２０は、出力手段３７により、異常発生情報２１１
を古いほうから指定数、記録媒体に保存し、保存した異常発生情報２１１を記憶手段２１
より消去して、ステップＳ１１２に遷移する。
【００６５】
ステップＳ１１１において制御手段２０は、出力手段３７により、異常発生情報２１１
を古いほうから指定数、外部機器に出力し、出力した異常発生情報２１１を記憶手段２１
より消去して、ステップＳ１１２に遷移する。
【００６６】
ステップＳ１１２において制御手段２０は、記憶手段２１に記録されている異常発生情
報２１１がＮ２個以下になったか否かを調べる。記録されている異常発生情報２１１がＮ
２個以下になった場合（ステップＳ１１２：Ｙ）、ステップＳ１１３に遷移する。記録さ
れている異常発生情報２１１がＮ２個より多い場合（ステップＳ１１２：Ｎ）、ステップ
Ｓ１０６に遷移する。本形態のＮ２が、所定の第２の数に相当する。
【００６７】
ステップＳ１１３において制御手段２０は、警告画面Ｐ１の投写を終了し、ステップＳ
１１４に遷移する。
【００６８】
ステップＳ１１４において本動作フローを終了する。
【００６９】
なお、フローには図示しないが、所定の操作により、図２（ａ）〜（ｄ）に相当する異
常発生情報２１１の記録状況を投写する。このときの表示画面Ｐ２を図６に示す。
【００７０】
また、プロジェクター１が電源オンしたときに異常発生情報２１１の記録数を調べるよ
うにしてもよい。
図３に示すように、プロジェクター１が電源オンすると（ステップＳ１２１）、制御手
段２０は光源制御手段２２により光源を点灯し（ステップＳ１２２）、ステップＳ１０４
に遷移する。以下、上述した動作を行う。
【００７１】
以上説明したように、本実施形態のプロジェクター１によれば、ある異常が第１発生時
刻から第２発生時刻までの時間に何回発生したかを異常発生情報２１１として記録する。
これにより、同一の異常が何回か発生した場合でも１つの異常発生情報２１１として記録
されるので、少ない記録容量で異常発生の状況を記録することが可能となる。
【００７２】
また、所定時間Ｔ１内に同一の異常が複数回発生した場合に１つの異常発生情報２１１
として記録するので、短期間に同一の異常が集中して発生するような状況を把握すること
ができ、解析に役立てることが可能となる。
【００７３】
また、記録された異常発生情報２１１のうち、第１発生時刻からの経過時間が所定時間
Ｔ１内であり同じ異常種類の異常発生情報２１１がある場合にその異常発生情報２１１の
第２発生時刻、及び発生回数を記録する。つまり、異なる種類の異常が複数回発生した場
合でもそれぞれを１つの異常発生情報２１１として記録するので、それぞれの種類の異常
を切り分けて解析に役立てることが可能となる。
【００７４】
また、記録された異常発生情報２１１がＮ１個（所定の第１の数）以上になった場合に
警告画面Ｐ１によりユーザーに警告するので、ユーザーに異常発生情報２１１の確認と、
原因の解析を促すことが可能となる。
また、記録された異常発生情報２１１を削除し、Ｎ２個（所定の第２の数）以下になっ
た場合にプロジェクター１を使用可能とするので、ユーザーが異常発生情報２１１を確認
しないうちにプロジェクター１を起動し、新たな異常発生によって、古い異常発生情報２
１１が消去されるのを防止することが可能となる。
【００７５】
また、出力手段３７により記録された異常発生情報２１１を外部機器または記録媒体に
出力することができるので、プロジェクター１を設置したまま外部機器で異常原因の解析
することができ、さらに出力した異常発生情報２１１の記録領域を削除することで新たな
異常発生情報２１１の記録が可能となる。
【００７６】
また、上記実施形態は、以下のように変更してもよい。
（変形例１）
上記実施形態において、異常発生情報２１１に記録された同じ種類の異常が所定時間内
に所定回数以上発生した場合に警告するようにしてもよい。これにより、同じ異常が短時
間に頻発する場合には、ユーザーに対して早期に対策を促すことが可能となる。
【００７７】
（変形例２）
上記実施形態において、第２発生時刻は、第１発生時刻からの経過時間として記録して
もよい。これにより、第２発生時刻の記録領域を小さくできるので、記憶手段２１により
多くの異常発生情報２１１を記録することが可能となる。
【符号の説明】
【００７８】
１…プロジェクター、１０…画像投写手段、１１…光源、１２Ｒ，１２Ｇ，１２Ｂ…液
晶ライトバルブ、１３…投写レンズ、１４…液晶駆動手段、１６…ＯＳＤ処理手段、１７
…画像信号処理手段、１８…画像信号入力手段、２０…制御手段、２０１…異常記録手段
、２１…記憶手段、２１１…異常発生情報、２２…光源制御手段、２３…入力操作手段、
３０…電源端子、３１…電源部、３２…計時部、３５…異常検知手段、３６…報知手段、
３７…出力手段。
【図１】
2014029362.tif 000003
【図２】
2014029362.tif 000004
【図３】
2014029362.tif 000005
【図４】
2014029362.tif 000006
【図５】
2014029362.tif 000007
【図６】
2014029362.tif 000008